【手続補正書】
【提出日】平成17年8月22日(2005.8.22)
【手続補正１】
【補正対象書類名】特許請求の範囲
【補正対象項目名】全文
【補正方法】変更
【補正の内容】
【特許請求の範囲】
【請求項１】
少なくとも２つのクライアントシステムを収容する通信ネットワークにおいて、少なくとも２つのクライアントシステムの間で、双方向パケット中心型のメッセージ送信を行う方法であって、
少なくとも２つのクライアントシステムを含む前記ネットワークのサブネットワークの定義を確立するステップと、
第１クライアントシステムの動作状態の変更に関して、少なくとも２つのクライアントシステムの第１クライアントシステムによって提示されるリクエストを受け入れるステップと、
第２クライアントシステムに交信しようとしている第１クライアントシステムによってもたらされる通信リクエストと、第２クライアントシステムによって提示される交信の承認に関するレスポンスとに相当する、双方向の信号メッセージの伝達によって少なくとも２つのクライアントシステムの間の交信を仲介するステップと、
少なくとも２つのクライアントシステム間の双方向パケットベース通信チャネルを実体化するステップと、
少なくとも２つのクライアントシステムの間で、双方向のパケットベースメッセージを送るステップと、
その結果、少なくとも２つのクライアントシステムの間での、制御信号とメッセージの双方向パケットベース送信を提供するステップと、
を含む双方向パケット中心型メッセージ送信方法。
【請求項２】
前記通信サブネットワークの定義を確立するステップが、
少なくとも１つの通信サブネットワークとつながっている少なくとも２つのクライアントシステム上の少なくとも１つの通信サブネットワークのリストを作るステップと、
特定のネットワーク制御データを、少なくとも１つの通信サブネットワークのリストに挿入するステップと、
少なくとも１つの通信ネットワークとつながっている少なくとも２つのクライアントシステム上に、少なくとも１つの通信サブネットワークとつながっている少なくとも２つのクライアントシステムのリストを構築するステップと、
特定のアドレスデータを伴うクライアントレコードを、少なくとも２つのクライアントシステムのリストに挿入するステップと、
を含む請求項１に記載の双方向パケット中心型メッセージ送信方法。
【請求項３】
前記リクエストを受け入れるステップが、
少なくとも１つのクライアントシステムによってもたらされるアドレスリクエストと添付されたアドレスデータを取得するステップと、
第１クライアントシステムによって提示される通信リクエストを許可するステップと、
少なくとも２つのクライアントシステム上の少なくとも２つのクライアントシステムのリストにおいて確立されるクライアントシステムレコードを更新することによって、第１クライアントシステムの動作状態を変更するステップと、
を含む請求項２に記載の双方向パケット中心型メッセージ送信方法。
【請求項４】
前記仲介するステップが、
第２クライアントシステムに向けられた第１クライアントシステムによって提示される、通信インビテーション制御メッセージ及び添付ＩＤデータを取得するステップと、
少なくとも１つの第１クライアントシステムによって提示された添付ＩＤデータを、第２クライアントシステムのインターネットプロトコルアドレスへと変換するステップと、
第１クライアントシステムによって提示される、通信インビテーション制御メッセージ及び添付されたインターネットプロトコルアドレスデータを、第２クライアントシステムへと転送するステップと、
第２クライアントシステムに交信しようとする試みに関して第１クライアントシステムに通知するステップと、
第２クライアントシステムからの承認の応答を受け入れるステップと、
第１クライアントシステムへの承認の応答を送信するステップと、
少なくとも２つのクライアントシステムのリストにおいて確立されている第１クライアントシステムレコードを更新することによって、第１クライアントシステムの動作状態を変更するステップと、
少なくとも２つのクライアントシステム上の少なくとも２つのクライアントシステムのリストにおいて確立されている第２クライアントシステムレコードを更新することによって第２クライアントシステムの動作状態を変更するステップと、
を含む請求項２に記載の双方向パケット中心型メッセージ送信方法。
【請求項５】
前記実体化するステップが、
通信チャネルを確立するためのネットワークリソースを割り当てるステップと、
通信チャネルの開放に関する属性を取得するステップと、
割り当てられた通信チャネルに関して、第１クライアントシステムと第２クライアントシステムに通知するステップと、
通信チャネルの作動に関して、第１クライアントシステム及び第２クライアントシステムから承認の応答を受信するステップと、
を含む請求項１に記載の双方向パケット中心型メッセージ送信方法。
【請求項６】
サブネットワークの構造上の要素を論理的に定義するステップをさらに含む、請求項１に記載の双方向パケット中心型メッセージ送信方法。
【請求項７】
少なくとも２つのクライアントシステム上のサブネットワークとつながっている複数のユーザーグループのレコードを確立するステップをさらに含む、請求項１に記載の双方向パケット中心型メッセージ送信方法。
【請求項８】
少なくとも１つのクライアントシステムのＩＤを、独立して作動している外部のサーバーシステムのサービスを経由して、一時的なインターネットプロトコルアドレスに変換するステップをさらに含む、請求項１に記載の双方向パケット中心型メッセージ送信方法。
【請求項９】
少なくとも１つのクライアントシステムのＩＤを、独立して作動している外部のゲートウエイシステムのサービスを経由して、一時的なインターネットプロトコルアドレスに変換するステップをさらに含む、請求項１に記載の双方向パケット中心型メッセージ送信方法。
【請求項１０】
通信ネットワークにおいて、少なくとも２台のクライアント端末の間で、双方向パケットベースメッセージ送信を行うためのシステムであって、
第２クライアント端末にアクセスし、交信し及び通信するために、並びに、少なくとも２台のクライアント端末の関連する定義を伴う少なくとも１つのパケットベース通信サブネットワークの定義に関する、適当なデータ構造からなるユーザーデータベースを蓄積するために、通信サブネットワークの加入者によって操作される第１クライアント端末と、
少なくとも２台のクライアント端末の間での信号メッセージの送信及びデータ伝達のための基盤として利用される、少なくとも１つのセルラーネットワークと、
少なくとも１つの第１通信ネットワークにおける第１クライアント端末に対して、第２通信ネットワークにおける第２クライアント端末にアクセスし、交信し、通信するオプションを与える、少なくとも１台のゲートウエイ端末と、
を含むシステム。
【請求項１１】
前記クライアント端末が、
パケット優先のパケットベースリアルタイムデータを伝送するリアルタイム伝送プロトコルモジュールと、
信号の暗号化及び解読のための、コーダー／デコーダーモジュールと、
第２クライアント端末のＩＤを、一時的なインターネットプロトコルアドレスに変換するための、インターネットプロトコルアドレス変換モジュールのための通信端末アドレスと、
第１クライアント端末と第２クライアント端末の間で、通信ネットワークを通って、添付パラメーターを有するリクエストを送信する信号モジュールと、
第１クライアント端末及び第２クライアント端末のユーザーが、パケットベース送信の送信及び受信を実行するクライアント端末を操作できるようにする、ユーザーインターフェースモジュールと、
を含む請求項１０に記載のシステム。
【請求項１２】
少なくとも２つの一組のマルチポイントカンファレンスモジュールの操作を制御する、マルチポイントカンファレンス制御モジュールをさらに含む、請求項１１に記載のシステム。
【請求項１３】
少なくとも２台のクライアント端末を収容する通信ネットワークにおいて、少なくとも２台のクライアント端末の間で双方向のパケット中心型接続及びメッセージ送信を行う方法であって、
第１クライアント端末上にある第１クライアントアプリケーションによって、第１クライアントの内部アドレス帳から少なくとも１つのユーザー情報を取得するステップと、
第１クライアントによって、通信する少なくとも１つの目的クライアントを選択するステップと、
第１クライアントアプリケーションによって、目的クライアントアドレスを決定するステップと、
目的クライアントにインビテーションを送信するステップと、
第１クライアントと目的クライアントとの間に直接のリンクを確立するステップと、
を含む双方向パケット中心型接続及びメッセージ送信方法。
【請求項１４】
前記ユーザー情報を取得するステップが、ユーザーが目的クライアントのＩＤを手動で打ち込むことにより達成される、請求項１３に記載の双方向パケット中心型接続及びメッセージ送信方法。
【請求項１５】
前記目的クライアントアドレスを決定するステップが、第１クライアントの内部アドレス帳の中で目的クライアントアドレスを調べるステップをさらに含む、請求項１３に記載の双方向パケット中心型接続及びメッセージ送信方法。
【請求項１６】
前記目的クライアントアドレスを決定するステップが、クライアントにおけるデータ蓄積領域内で目的クライアントアドレスを調べるステップをさらに含む、請求項１３に記載の双方向パケット中心型接続及びメッセージ送信方法。
【請求項１７】
前記目的クライアントアドレスを決定するステップが、通信ネットワークの一部である第三のサーバーにアクセスし、目的クライアントアドレスを取得するステップをさらに含む、請求項１３に記載の双方向パケット中心型接続及びメッセージ送信方法。
【請求項１８】
前記インビテーションを送信するステップが、目的クライアントのＩＤ、目的クライアントのインターネットプロトコルアドレス、又は目的クライアントの電話番号を送信するステップをさらに含む、請求項１３に記載の双方向パケット中心型接続及びメッセージ送信方法。
【請求項１９】
前記インビテーションを送信するステップが、目的クライアントのポート、コーダー／デコーダーのルーチン、及び第一クライアントのＩＤを送信するステップをさらに含む、請求項１３に記載の双方向パケット中心型接続及びメッセージ送信方法。
【請求項２０】
前記インビテーションを送信するステップが、通信ネットワーク上にある第三のサーバーへメッセージを送信するステップを含み、
そのメッセージが目的クライアントの電話番号及び第１クライアントアドレスを含むものであって、
目的クライアントがそのメッセージを受信し第１クライアントアドレスを通して直接に接続を始めるステップと、
を含む、請求項１３に記載の双方向パケット中心型接続及びメッセージ送信方法。
【請求項２１】
前記インビテーションを送信するステップが、目的クライアントに、目的クライアントアドレスを用いて直接に接続を確立するためのインビテーションを送信するステップを含む、請求項１３に記載の双方向パケット中心型接続及びメッセージ送信方法。
【請求項２２】
第１クライアントによって、目的クライアントから承認メッセージを受け入れるステップをさらに含む、請求項１３に記載の双方向パケット中心型接続及びメッセージ送信方法。
【請求項２３】
第１クライアントによって、目的クライアントからＩＤ情報を受信するステップをさらに含む、請求項１３に記載の双方向パケット中心型接続及びメッセージ送信方法。
【請求項２４】
前記アドレスがインターネットプロトコルアドレスである、請求項１３に記載の双方向パケット中心型接続及びメッセージ送信方法。
【請求項２５】
少なくとも２台のクライアント端末を収容する通信ネットワークにおいて、少なくとも２台のクライアント端末の間で、双方向パケット中心型接続を確立し、及びメッセージを送信するための装置であって、
第１クライアントの内部アドレス帳から少なくとも１つのユーザー情報を取得し、通信する少なくとも１つの目的クライアントを選択し、目的クライアントアドレスを決定し、及び目的クライアントにインビテーションを送信するためにプログラミングされた第１クライアント端末上の第１クライアントアプリケーションを含み、
これにより、第１クライアントと目的クライアントとの間で直接の接続が確立される、双方向パケット中心型接続の確立及びメッセージ送信装置。
【請求項２６】
前記アプリケーションが、ユーザーに目的クライアントのＩＤを手動で打ち込むことを可能とする、請求項２５に記載の双方向パケット中心型接続の確立及びメッセージ送信装置。
【請求項２７】
前記アプリケーションが、第１クライアントの内部アドレス帳の中で目的クライアントアドレスを調べることによって決定を行うようにプログラミングされた、請求項２５に記載の双方向パケット中心型接続の確立及びメッセージ送信装置。
【請求項２８】
前記アプリケーションが、第１ユーザーのクライアントデータ蓄積領域内で目的クライアントアドレスを調べることによって決定を行うようにプログラミングされた、請求項２５に記載の双方向パケット中心型接続の確立及びメッセージ送信装置。
【請求項２９】
前記アプリケーションが、通信ネットワークの一部である第三のサーバーにアクセスし、目的クライアントアドレスを取得することによって決定を行うようにプログラミングされた、請求項２５に記載の双方向パケット中心型接続の確立及びメッセージ送信装置。
【請求項３０】
前記アプリケーションが、目的クライアントのＩＤ、目的クライアントのインターネットプロトコルアドレス、又は目的クライアントの電話番号をさらに送信する、請求項２５に記載の双方向パケット中心型接続の確立及びメッセージ送信装置。
【請求項３１】
前記アプリケーションが、目的クライアントのポート、コーダー／デコーダールーチン、及び第１クライアントのＩＤをさらに送信する、請求項２５に記載の双方向パケット中心型接続の確立及びメッセージ送信装置。
【請求項３２】
前記アプリケーションが、通信ネットワーク上にある第三のサーバーへメッセージを送信し、そのメッセージが目的クライアントの電話番号及び第１クライアントアドレスを含むものであって、目的クライアントがそのメッセージを受信し第１クライアントアドレスを通して直接に接続を開始するようにプログラミングされた、請求項２５に記載の双方向パケット中心型接続の確立及びメッセージ送信装置。
【請求項３３】
前記アプリケーションが、目的クライアントに、目的クライアントアドレスを用いて直接に接続を確立するために、インビテーションをさらに送信する、請求項２５に記載の双方向パケット中心型接続の確立及びメッセージ送信装置。
【請求項３４】
前記アプリケーションが、目的クライアントからの承認メッセージを受け入れるようにプログラミングされた、請求項２５に記載の双方向パケット中心型接続の確立及びメッセージ送信装置。
【請求項３５】
前記アプリケーションが、目的クライアントからＩＤ情報を受信するようにプログラミングされた、請求項２５に記載の双方向パケット中心型接続の確立及びメッセージ送信装置。
【請求項３６】
前記アドレスがインターネットプロトコルアドレスである、請求項２５に記載の双方向パケット中心型接続の確立及びメッセージ送信装置。
【請求項３７】
既存の通信ネットワーク上での２又はそれ以上のユーザー間の通信ネットワークのような双方向無線を実行する方法であって、
前記通信ネットワークのような双方向無線に参加するために前記既存の通信ネットワークからユーザーのサブグループを確立するステップと、
前記サブグループのユーザーからの送信を受け入れるステップと、
前記サブグループの他のユーザーへ前記送信を届けるステップとを含み、
前記送信が、インターネットプロトコルを用いてデータパケットとして行われる、双方向無線実行方法。
【請求項３８】
前記サブグループを確立するステップが、前記サブグループに属するユーザーのリスト及び前記ユーザーへデータパケットをルーティングするためのアドレスを作るステップを含む、請求項３７に記載の双方向無線実行方法。
【請求項３９】
前記リストが、各々のユーザーに対するステータスバリューをさらに含み、前記ステータスバリューが、ユーザーが前記サブグループの他のユーザーからの送信を受信可能かどうかを示す、請求項３８に記載の双方向無線実行方法。
【請求項４０】
前記リストが、前記サブグループの各々のユーザーに与えられている、請求項３８又は請求項３９に記載の双方向無線実行方法。
【請求項４１】
前記リストが、前記既存の通信ネットワークと接続されており、前記サブグループのユーザーによってアクセス可能なサーバーに与えられている、請求項３８又は請求項３９に記載の双方向無線実行方法。
【請求項４２】
前記既存の通信ネットワークが携帯電話ネットワークである、請求項３７から請求項４１のいずれかに記載の双方向無線実行方法。
【請求項４３】
前記既存の通信ネットワークが、地上の電話ネットワークである、請求項３７から請求項４１のいずれかに記載の双方向無線実行方法。
【請求項４４】
前記既存の通信ネットワークが、相互に接続された携帯電話及び地上電話ネットワークの混合である、請求項３７から請求項４３のいずれかに記載の双方向無線実行方法。
【請求項４５】
前記送信が音声データを含む、請求項３７から請求項４４のいずれかに記載の双方向無線実行方法。
【請求項４６】
前記送信がグラフィックデータを含む、請求項３７から請求項４５のいずれかに記載の双方向無線実行方法。
【請求項４７】
前記送信がビデオデータを含む、請求項３７から請求項４６のいずれかに記載の双方向無線実行方法。
【請求項４８】
前記送信がオーディオデータを含む、請求項３７から請求項４７のいずれかに記載の双方向無線実行方法。
【請求項４９】
前記送信がテキストデータを含む、請求項３７から請求項４８のいずれかに記載の双方向無線実行方法。
【請求項５０】
前記送信が、前記既存の通信ネットワークの通信端末を用いて行われる、請求項３７から請求項４９のいずれかに記載の双方向無線実行方法。
【請求項５１】
前記送信が、既存の通信ネットワーク上の双方向無線通信の実行をサポートするのに適応した通信端末を用いて行われる、請求項３７から請求項４９のいずれかに記載の双方向無線実行方法。
【請求項５２】
前記適応が、既存の通信端末をプログラミングすることを含む、請求項５１に記載の双方向無線実行方法。
【請求項５３】
前記サブグループのユーザーが、前記既存の通信ネットワークを用いて他のユーザーと通信することによって、前記サブグループの別のユーザーと通信するためのアドレスを取得する、請求項３７から請求項４９のいずれかに記載の双方向無線実行方法。
【請求項５４】
前記サブグループのユーザーが、前記サーバーに問い合わせることによって前記サブグループの別のユーザーと通信するためのアドレスを取得する、請求項４１に記載の双方向無線実行方法。
【請求項５５】
前記サブグループの２人のメンバー間のコミュニケーション送信が、前記既存の通信ネットワークの２人のメンバー間のコミュニケーション送信とは異なったルートづけがされている、請求項３７から請求項５４のいずれかに記載の双方向無線実行方法。
【請求項５６】
前記送信が、通信端末上のあらかじめ定義されたキーを押すことによって行われる、請求項５０又は請求項５１に記載の双方向無線実行方法。
【請求項５７】
通信ネットワークのような双方向無線を実行するシステムであって、
前記通信ネットワーク上で通信するための通信端末のサブグループを含み、
通信端末の前記サブグループのメンバーが、前記サブグループの他のメンバーへ同時に送信するのに適応しており、
前記送信がインターネットプロトコルを用いたデータパケットとして行われる、
双方向無線実行システム。
【請求項５８】
少なくとも１つのサーバーシステムに接続可能な少なくとも２つのクライアントシステムを収容する通信ネットワークにおいて、少なくとも２つのクライアントシステムの間での双方向パケット中心型の無線メッセージ送信を行う方法であって、
少なくとも１つのサーバーシステム上に少なくとも２つの無線通信サブネットワークの定義を確立するステップと、
第１クライアントシステムの動作状態の変更に関して、少なくとも１つの無線通信サブネットワークとつながっている第１クライアントシステムにより提示されるリクエストを受け入れるステップと、
少なくとも１つの第２通信サブネットワークにつながっている第２クライアントシステムに交信しようとしている第１通信サブネットワークにつながっている第１クライアントシステムによってもたらされる通信リクエストと、少なくとも１つの第２通信サブネットワークにつながっている第２クライアントシステムによって提示される交信の承認に関するレスポンスとに相当する、双方向パケットベース無線信号メッセージの伝達によって少なくとも２つのクライアントシステムの間の交信を仲介するステップと、
少なくとも１つの第１無線通信サブネットワークとつながっている第１クライアントシステムと、少なくとも１つの第２無線通信サブネットワークにつながっている第２クライアントシステムとの間の、少なくとも１つの双方向パケットベース無線通信チャネルを実体化するステップと、
第１クライアントシステムと第２クライアントシステムとの間の双方向パケットベース無線メッセージを送るステップと、
その結果、少なくとも２つの無線通信サブネットワークにつながっている少なくとも２つのクライアントシステムの間の制御信号とメッセージの双方向パケットベース無線送信を提供するステップと、
を含む双方向パケット中心型無線メッセージ送信方法。